(57)【要約】【課題】床下に設備配管を配管する作業に伴う騒音および振動が少ない二重床パネル、二重床構造および二重床の施工方法を提供することを目的としている。【解決手段】複数の脚部６によって支持され、下方に設備配管３が配管される板状のパネル部５から構成される二重床パネル８において、パネル部５の下面には、設備配管３を支持する吊り部１５が垂設されている。【選択図】      図１
2004278036.tif 000002
【特許請求の範囲】
【請求項１】
複数の脚部によって支持され、下方に設備配管が配管される板状のパネル部から構成される二重床パネルにおいて、
前記パネル部の下面には、前記設備配管を支持する吊り部が垂設されていることを特徴とする二重床パネル。
【請求項２】
請求項１記載の二重床パネルにおいて、
前記吊り部は、前記パネル部の端部に配置されていることを特徴とする配管付二重床パネル。
【請求項３】
請求項１または２記載の二重床パネルにより形成される二重床構造であって、
前記吊り部が垂設された側の前記二重床パネルの側方には、前記脚部と前記パネル部とから構成され下方に前記設備配管が配管されているとともに該設備配管とは離されている吊り部無二重床パネルが配置されていることを特徴とする床構造。
【請求項４】
請求項３記載の床構造において、
前記二重床パネルと前記吊り部無二重床パネルとのうち何れか一方には上方に開放された箱状のボックス部が備えられ、該ボックス部には一端が前記第１の接続配管の先端部に接続され他端が前記設備配管の端部に接続される継手部が挿設されていることを特徴とする床構造。
【請求項５】
請求項４記載の床構造において、
前記継手部が挿設されている前記ボックス部の壁部には、上方に向かって開く傾斜面が形成されていることを特徴とする床構造。
【請求項６】
請求項３から５のいずれかに記載の床構造において、
前記二重床パネルと前記吊り部無二重床パネルとのうち何れか一方には上方に開放された箱状の受け皿部が備えられ、該受け皿部内には前記既存配管に接続された第２の接続管と前記設備配管の端部との間に介装されたヘッダーが収納されていることを特徴とする床構造。
【請求項７】
スラブ上に形成するとともに該スラブとの間に設備配管を配管する配管空間を形成する二重床の施工方法において、
請求項１記載の二重床パネルを前記スラブ上に間隔をあけて配置し、該スラブ上に前記設備配管を配置するとともに該設備配管を前記吊り部に支持し、間隔をあけて配置された前記二重床パネルの間に前記脚部と前記パネル部とから構成されているとともに前記設備配管と離隔されている吊り部無二重床パネルを嵌装することを特徴とする二重床の施工方法。
【発明の詳細な説明】
【０００１】
【発明の属する技術分野】
本発明は、スラブ上に配置されているとともに、給水、給湯、排水、ガスおよび電気等の設備配管が下方に配管されている配管付二重床パネル、二重床構造および二重床の施工方法に関する。
【０００２】
【従来の技術】
一般に、床下に設備配管を配管する場合には二重床を形成する。二重床を形成する際には、まずスラブ上に設備配管を配管するとともに設備機器が設置される位置の設備配管端部に立ち上がりを形成し、その後スラブの上面と隙間をあけて床材を形成する。床材には、例えば大引きの上方に根太を架設させ、根太の上方に床板を敷設する構成からなるものや、脚部を有する床パネルをスラブ上に配置するものなどがある（例えば、特許文献１参照。）。
【０００３】
【特許文献１】
特開２００１‐２２０８８４号公報  （第３−４頁、第８図）
【０００４】
【発明が解決しようとする課題】
しかしながら、上記した従来の二重床によると、設備配管をスラブに固定する作業が騒音や振動を伴うため、改修工事などの場合には下階への影響が大きく、下階の居室を一時的に閉鎖するなどの措置が必要になるという問題が存在する。
【０００５】
また、設備配管のメンテナンスを行う際には床材を剥がす必要があり、設備配管のメンテナンスを行うまでの作業および終了してからの復旧作業には時間がかかるという問題が存在する。また、床パネルの場合は撤去および設置は容易に行うことができるが、設備配管を盛替える場合などには床パネルの高さが低いため設備配管を固定する固定部があるところの全てを撤去する必要があり、メンテナンス作業の影響を及ぼす範囲が広範囲になるという問題が存在する。
【０００６】
本発明は、上記した問題が考慮されたものであり、床下に設備配管を配管する作業に伴う騒音および振動が少ない二重床パネル、二重床構造および二重床の施工方法を提供することを目的としている。また、設備配管を配管する際に墨出しを必要とせず、現場の状況に応じて容易に配管することができる二重床パネル、二重床構造および二重床の施工方法を提供することを目的としている。また、設備配管のメンテナンスを行う際に容易に取り外しを行うことができる二重床パネル、二重床構造および二重床の施工方法を提供するとともに、二重床パネルの全てを撤去せずに床下の設備配管のメンテナンスが行うことができる二重床パネル、二重床構造および二重床の施工方法を提供することを目的としている。
【０００７】
【課題を解決するための手段】
請求項１記載の発明は、複数の脚部によって支持され、下方に設備配管が配管される板状のパネル部から構成される二重床パネルにおいて、前記パネル部の下面には、前記設備配管を支持する吊り部が垂設されていることを特徴としている。
【０００８】
このような特徴により、設備配管はスラブに固定されずにパネル部下面に固定される。
【０００９】
請求項２記載の発明は、請求項１記載の二重床パネルにおいて、前記吊り部は、前記パネル部の端部に配置されていることを特徴としている。
【００１０】
このような特徴により、パネル部下面に固定された吊り部に設備配管を脱着させる作業は、二重床パネルをスラブ上に置いた状態で二重床パネルの側方からでも行える。
【００１１】
請求項３記載の発明は、請求項１または２記載の二重床パネルにより形成される二重床構造であって、前記吊り部が垂設された側の前記二重床パネルの側方には、前記脚部と前記パネル部とから構成され下方に前記設備配管が配管されているとともに該設備配管とは離されている吊り部無二重床パネルが配置されていることを特徴としている。
【００１２】
このような特徴により、メンテナンスを行う際には吊り部無二重床パネルを取り外すことにより、設備配管が固定された二重床パネルを剥がさずに設備配管をメンテナンスされる。
【００１３】
請求項４記載の発明は、請求項３記載の床構造において、前記二重床パネルと前記吊り部無二重床パネルとのうち何れか一方には上方に開放された箱状のボックス部が備えられ、該ボックス部には一端が前記第１の接続配管の先端部に接続され他端が前記設備配管の端部に接続される継手部が挿設されていることを特徴としている。
【００１４】
このような特徴により、設備機器を設置する際に二重床パネルや吊り部無二重床パネルを剥がさずに床下に配管された設備配管に接続される。
【００１５】
請求項５記載の発明は、請求項４記載の床構造において、前記継手部が挿設されている前記ボックス部の壁部には、上方に向かって開く傾斜面が形成されていることを特徴としている。
【００１６】
このような特徴により、継手部との接続部での設備配管および第１の接続配管の屈曲角度は緩やかなものとなる。
【００１７】
請求項６記載の発明は、請求項３から５のいずれかに記載の床構造において、前記二重床パネルと前記吊り部無二重床パネルとのうち何れか一方には上方に開放された箱状の受け皿部が備えられ、該受け皿部内には前記既存配管に接続された第２の接続管と前記設備配管の端部との間に介装されたヘッダーが収納されていることを特徴としている。
【００１８】
このような特徴により、一本の既存配管から複数本の設備配管に分岐され、複数本の設備配管は各方向にそれぞれ設置された複数の設備機器の方向にそれぞれ配管される。
【００１９】
請求項７記載の発明は、スラブ上に形成するとともに該スラブとの間に設備配管を配管する配管空間を形成する二重床の施工方法において、請求項１記載の二重床パネルを前記スラブ上に間隔をあけて配置し、該スラブ上に前記設備配管を配置するとともに該設備配管を前記吊り部に支持し、間隔をあけて配置された前記二重床パネルの間に前記脚部と前記パネル部とから構成されているとともに前記設備配管と離隔されている吊り部無二重床パネルを嵌装することを特徴としている。
【００２０】
このような特徴により、吊り部無二重床パネルを配置するスペースから設備配管を吊り部に取り付けられる。
【００２１】
【発明の実施の形態】
以下、本発明に係る二重床パネル、二重床構造および二重床の施工方法の実施の形態について、図面に基づいて説明する。なお、図１はキッチン台（設備機器）１が設置されるキッチン床２の見上げ図であり、図１に示すように、本実施の形態はキッチン床２を形成するとともにキッチン床（二重床）２の下にキッチン台１に接続される設備配管３を配管する場合について説明する。
【００２２】
図１に示すように、キッチン床２は構造体であるスラブ４の上方に形成されている。キッチン床２は、板状のパネル部５が居室２スラブ４上に配置された複数の脚部６によって支持される構成からなる吊り部無二重床パネル７および二重床パネル８（後述するように、二重床パネル８には吊り部１５が垂設されており、これに対して吊り部無二重床パネル７には吊り部１５が備えられていないため、二重床パネル８は吊り部無二重床パネル７に対応させて吊り部付二重床パネルといえる。）から形成されている。下方に設備配管３が配管されるキッチン床２は、間隔をあけて配置された二重床パネル８の間に設備配管３と離隔されている吊り部無二重床パネル７が配置される構成からなり、二重床パネル８と吊り部無二重床パネル７とは交互に配置されている。
【００２３】
図２はキッチン床２の一部を形成する吊り部無二重床パネル７の断面図である。図１、図２に示すように、スラブ４上には複数の脚部６が配置されており、脚部６のスラブ４上面に当接する下部は滑りによる転倒を防ぐためゴム等の摩擦材６ａが形成されており、脚部６の上部は上方に向かって拡大するテーパ部６ｂが形成されている。また、脚部６の上端面中央には円柱形の嵌入部６ｃが付設されている。
【００２４】
脚部６の上方には、中央および四隅に貫通孔５ａが形成された板状のパネル部５が配置されている。貫通孔５ａには脚部６の嵌入部６ｃがそれぞれ嵌入されており、パネル部５は脚部６によって中央および四隅がそれぞれ支持されている。また、パネル部５は９１０ｍｍ×９１０ｍｍの正四角形のモジュールに形成されており、この他に図示せぬ６００ｍｍ×９１０ｍｍおよび４５０ｍｍ×９１０ｍｍの長方形のサブモジュールが使用される。なお、パネル部５は９１０ｍｍ×９１０ｍｍの正四角形のモジュールに限定されず、例えば９００ｍｍや１０００ｍｍのモジュールなども考えられ、その範囲は９００ｍｍから１０００ｍｍ程度のモジュールが使用される。また、サブモジュールについても６００ｍｍ×９１０ｍｍおよび４５０ｍｍ×９１０ｍｍの長方形のサブモジュールに限定されず、例えば９００ｍｍのモジュールに対応して４５０ｍｍや３００ｍｍのサブモジュールが考えられ、また１０００ｍｍのモジュールに対応して５００ｍｍのサブモジュールなども考えられる。サブモジュールはメインとなるモジュールに応じた寸法のものが使用され、その範囲は３００ｍｍから９００ｍｍ程度のサブモジュールが使用される。
【００２５】
図３はキッチン床２の一部を形成する二重床パネル８の断面図である。図１、図３に示すように、二重床パネル８は、上記した吊り部無二重床パネル７と同様の構成からなっており、上記した脚部６およびパネル部５から構成されている。また、二重床パネル８のパネル部５の下面には、キッチン床２の下に配管されキッチン台１に接続される排水管９、給水管１０、給湯管１１、ガス管１２、１００Ｖ電気配線１３および２００Ｖ電気配線１４からなる設備配管３を吊り下げる吊り部１５が付設されている。
【００２６】
図４に示すように、吊り部１５の下端には設備配管３を掴持するクランプ部１６ａが形成され、上端にはパネル部５の下面に接合される基台部１６ｂが形成されている。基台部１６ｂには、雄ねじ１６が下方から貫通され、この雄ねじ１６の先端を上端パネル部５内に定着させることでパネル部５に固定されている。吊り部１５はパネル部５の端部に、複数（図では６箇所）配列されている。
【００２７】
図５はキッチン台１が載置される二重床パネル８の部分断面図である。図１、図５に示すように、キッチン台１が載置される二重床パネル８のパネル部５には、長方形の開口部７ａが形成されており、開口部７ａの中には上方が開放された横長の箱状のボックス部１７が嵌装されている。ボックス部１７は断面形状がＶ形に形成されており、ボックス部１７の傾斜面１７ａは上方に向かって開くように傾斜され、傾斜角度が４５°に形成されている。
【００２８】
図６は上記したボックス部１７の平面図である。図５、図６に示すように、傾斜面１７ａの下端には水平の長方形板からなるボックス部１７の底面１７ｂが一体に形成されており、傾斜面１７ａおよび底面１７ｂはそれぞれスチール板を二枚に重ねてピン１８で固定する構成からなっている。傾斜面１７ａの上端は外側に張り出す形でフランジ１７ｃが形成されており、フランジ１７ｃはパネル部５上面の開口部５ｂの外縁に形成された窪み部５ｃに載せられている。フランジ１７ｃには間隔をあけて雄ねじ１９が上方から貫通され、ボックス部１７は雄ねじ１９の先端をパネル部５内に定着させることでパネル部５に固定されている。
【００２９】
また、ボックス部１７の傾斜面１７ａには、傾斜面１７ａと直交する方向に延在する複数の差し込み式のソケット（継手部）２０がそれぞれ挿設されている。二重床パネル８の下方側のソケット２０一端部には設備配管３の一端が接続されている。また、キッチン台１とボックス部１７の内側のソケット２０他端部とは、第１の接続配管２１を介して接続されている。各々のソケット２０他端に接続された第１の接続配管２１のうち排水管９に接続された第１の接続配管２１には圧送ポンプ２２が備えられており、キッチン台１からの排水は圧送ポンプ２２によって排水管９の勾配に関係なく排水管９内を流通される。
【００３０】
また、各々のソケット２０上方の傾斜面１７ａには、それぞれの設備配管３の配管位置や管径、管材種等の情報が組み込まれた識別表示２３が付設されている。この識別表示２３は、例えば設備配管３の情報をバーコード化した表示がシールに表記され、このシールがボックス部１７の傾斜面１７ａに貼着される構成からなる。
【００３１】
図７は設備配管３の他端部が下方に配置されている二重床パネル８の断面図であり、図１に示すＡ−Ａ断面の矢視図である。また、図８は図１に示すＢ−Ｂ断面の矢視図である。図１、図７、図８に示すように、設備配管３の他端が下方に配置された二重床パネル８のパネル部５には、正方形の開口部５ｄが形成されており、開口部７ｂの中には上方が開放された正方形の箱状の受け皿部２４が嵌装されている。受け皿部２４の上端部は外側に張り出す形でフランジ２４ａが形成されており、フランジ２４ａはパネル部５下面の開口部７ａの外縁に当接されている。フランジ２４ａには間隔をあけて雄ねじ２５が下方から貫通されており、受け皿部２４は雄ねじ２５の先端をパネル部５内に定着させることでパネル部５に固定されている。また、受け皿部２４はスチール板から形成されており、受け皿部２４とスラブ４との間にはパッキン２６が介在されている。
【００３２】
受け皿部２４の壁部には複数の貫通孔２４ｂが設けられており、貫通孔２４ｂには設備配管３の他端部が挿通されている。受け皿部２４の内部には設備配管３の他端にそれぞれ接続されたヘッダー２７が格納されている。このヘッダー２７には、排水管９の他端に接続される排水ヘッダー２７ａと、給水管１０の他端に接続される給水ヘッダー２７ｂと、給湯管１１の他端に接続される給湯ヘッダー２７ｃと、ガス管１２の他端に接続されるガス管ヘッダー２７ｄと、１００Ｖ電気配線１３および２００Ｖ電気配線１４の他端に接続される配線ボックス２７ｅ、２７ｆとからなっている。
【００３３】
各々のヘッダー２７は、各々の第２の接続配管２８を介して居室２の近傍に配設された既存配管２９にそれぞれ接続されている。既存配管２９は、鉛直に配管された排水用たて管３０および給水用たて管３１およびガス用たて管３２と、図示せぬ電柱などに接続された引込線３３とから構成されている。給水用たて管３１の端部には図示せぬバルブが備えられた給水メータ３５が接続されている。また、ガス用たて管３２の端部には図示せぬバルブが備えられたガスメータ３８が接続されている。さらに、引込線３３の端部には電力を分岐させる分電盤４０が接続されている。
【００３４】
また、第２の接続配管２８は、排水用たて管３０と排水ヘッダー２７ａとを接続する排水用接続配管３４、給水メータ３５と給水ヘッダー２７ｂとを接続するとともに給水メータ３５と給湯ヘッダー２７ｃとを給湯器３６を介して接続する給水給湯用接続配管３７、ガスメータ３８とガス管ヘッダー２７ｄとを接続するガス用接続配管３９、および分電盤４０と配線ボックス２７ｅ、２７ｆとを接続する接続電線４１から構成されている。
【００３５】
次に、上記した二重床パネル８を使用したキッチン床２の施工方法について説明する。
【００３６】
まず、図４に示すように、二重床パネル８のパネル部５下面の所定位置に、吊り部１５を配置して基台部１６ｂをパネル部５下面に当接させる。そして、基台部１６ｂの下方からインパクトにより雄ねじ１６を捻じ込み、吊り部１５をパネル部５下面に固定する。
【００３７】
次に、図１、図２、図３に示すように、スラブ４上の設備配管３が配管される箇所に吊り部１５が設けられた二重床パネル８を敷設するとともに、設備配管３が配管されない箇所に吊り部無二重床パネル７を敷設する。キッチン台１側の設備配管３の一端部が配置される箇所にはボックス部１７が備えられた二重床パネル８を配置し、設備配管３の他端部が配置される箇所には、受け皿部２４が備えられた二重床パネル８を配置する。また、設備配管３中間部の配管経路となるキッチン床２の形成範囲では、吊り部無二重床パネル７が嵌め込まれる程度の間隔（例えば、９１０ｍｍ×９１０ｍｍの正四角形のモジュールに対応した間隔）をあけて二重床パネル８を配置する。
【００３８】
次に、パネル部５の下方に設備配管３を配列するとともに、二重床パネル８のパネル部５の下面端部に付設された吊り部１５に設備配管３をそれぞれ掴持させ、設備配管３を二重床パネル８から吊り下げる態様でスラブ４の上方に配管する。また、各々の設備配管３の一端部をボックス部１７に設けられた対応するソケット２０の一端に差し込んでそれぞれ接続するとともに、各々の設備配管３の他端部を受け皿部２４の中に格納された対応するヘッダー２７にそれぞれ接続する。
【００３９】
次に、キッチン台１を二重床パネル８上に設置し、キッチン台１に第１の接続配管２１の一端を接続する。そして、第１の接続配管２１の他端を各々のソケット２０の他端に差し込んでそれぞれ接続し、ソケット２０を介して排水管９に接続される第１の接続配管２１に圧送ポンプ２２を介装させる。また、それぞれの設備配管３の配管位置や管径、管材種等の情報をバーコード化し、このバーコードが表記されたシールからなる識別表示２３をボックス部１７の傾斜面１７ａに貼り付ける。
【００４０】
また、受け皿部２４の中に格納された各々のヘッダー２７と、これらのヘッダー２７にそれぞれ対応する既存配管２９或いは既存配管２９に接続された給水メータ３５やガスメータ３８や分電盤４０とを、第２の接続配管２８によってそれぞれ接続する。
【００４１】
次に、間隔をあけて配置された二重床パネル８の間に吊り部無二重床パネル７を嵌装させる。この吊り部無二重床パネル７は、二重床パネル８の間に配管された設備配管３と離隔された状態で配置される。
【００４２】
上記した構成からなる二重床パネル８、キッチン床（二重床）構造およびキッチン床（二重床）の施工方法によれば、設備配管３は吊り部１５によって吊り下げられているため、スラブ４に固定されずにパネル部５下面に固定される。これによって、設備配管３をキッチン床２の下に配管する作業に伴う騒音および振動が少なくすることができる。また、設備配管３は吊り部１５のクランプ部１５ａに掴持されているので容易に取り外しを行うことができる
【００４３】
また、吊り部１５はパネル部の端部に配置されているため、パネル部５下面に固定された吊り部１５に設備配管３を脱着させる作業は、二重床パネル８をスラブ４上に置いた状態で二重床パネル８の側方から行うことができる。これによって、設備配管３を配管する際に墨出しを必要とせず、現場の状況に応じて容易に配管することができる。
【００４４】
また、二重床パネル８は間隔をあけて配置され、隣り合う二重床パネル８の間には吊り部無二重床パネル７が配置されているため、メンテナンスを行う際には吊り部無二重床パネル７を取り外すことにより、設備配管３が固定された二重床パネル８を剥がさずに行うことができる。これによって、メンテナンスの作業が容易になり、短時間に行うことができる。
【００４５】
また、キッチン台１が設置される二重床パネル８には、ソケット２０が取り付けられたボックス部１７が備えられているため、キッチン台１を設置する際に二重床パネル８を剥がさずに二重床パネル８の下に配管された設備配管３は接続される。これによって、設置されたキッチン台１との接続作業は容易に行うことができ、キッチン台１の取り替える作業などが容易に行うことができる。また、ソケット２０は傾斜面１７ａに取り付けられているため、設備配管３の屈曲角度は緩やかになる。これによって、屈曲し難い材質の設備配管３でも使用することができる。
【００４６】
また、設備配管３の他端が配管される箇所に配置される二重床パネル８には、受け皿部２４が備えられ、受け皿部２４の内部にはヘッダー２７が格納されているため、二重床パネル８を剥がさずに一本の既存配管２９から複数の設備配管３に分岐され、複数の設備配管３は各方向にそれぞれ設置されたそれぞれの設備機器にそれぞれ配管される。これによって、キッチン床２に他の設備機器を設置する場合に簡単に配管を接続することができる。
【００４７】
さらに、二重床パネル８を間隔をあけて配置し、設備配管３を配置するとともに設備配管３を吊り部１５に支持し、間隔をあけて配置された二重床パネル８の間に設備配管３と離隔されている吊り部無二重床パネル７を嵌装するため、吊り部無二重床パネル７を配置するスペースから設備配管３を吊り部１５に取り付けられる。これによって、吊り部１５に設備配管３を取り付ける作業は簡単に行うことができる。
【００４８】
以上、本発明に係る二重床パネル、二重床構造および二重床の施工方法の実施の形態について説明したが、本発明は上記した実施の形態に限定されるものではなく、その趣旨を逸脱しない範囲で適宜変更可能である。例えば、上記した本実施の形態では吊り部１５は雄ねじ１６によって固定されているが、本発明は、図９、図１０に示すように、パネル部１００に端部に形成された欠き込み部１００ａに、設備配管１０４を掴持する吊り部１０１が固定された既製の吊り下地１０２を嵌装させることで、吊り部１０１をパネル部１００に固定してもよい。パネル部１００上面の欠き込み部１００ａ外縁には窪み部１００ｂが形成されており、窪み部１００ｂの上方に吊り下地１０２の上方端部が載せられる。吊り下地１０２の上方端部に形成されたねじ孔１０３から雄ねじ１０６がパネル部１００内に捻じ込まれ固定される。また、吊り下地１０２の上面に欠き込み部１０２ａを形成して電気配線１０５を床下から床上に配線してもよい。
【００４９】
また、上記した実施の形態では吊り部１５は直接パネル部５の下面に取り付けられているが、本発明は、図１１に示すように、パネル部２００の下面と吊り部２０１との間に、パネル部２００と吊り部２０１との間隔を調整するスペーサー２０２が介在されていてもよい。これによって、設備配管２０３同士が交わる場合に、互いに干渉せず上下に交差させることができる。
【００５０】
また、上記した実施の形態では設備配管３の一端部はボックス部１７に取り付けられたソケット２０に接続されているが、本発明は、図１２に示すように、パネル部３００の端部に欠き込み部３００ａを形成し、この欠き込み部３００ａの上方に複数の欠き込み部３０１ａが形成された矩形板３０１を載せて雄ねじ３０２で固定してもよい。これによって、矩形板３０１の欠き込み部３０１ａから設備配管３０３が挿通され、壁際に図示せぬ設備機器がある場合等に壁際に設備配管３０３を立ち上げることができる。
【００５１】
また、上記した実施の形態では受け皿部２４を挿通する設備配管３は、受け皿部２４が備えられた二重床パネル８端部に取り付けられた吊り部１５によって支持されているが、本発明は、図１３、図１４に示すように、受け皿部４００に円筒形のガイド部４０１を固定し、このガイド部４０１の中に設備配管４０２を挿通させて支持してもよい。このような構成により、設備配管４０２は、受け皿部４００が備えられたパネル部４０３端部に吊り部を取り付けなくても支持される。このため、設備配管４０２を取り付ける作業は簡易化することができる。
【００５２】
また、上記した実施の形態では、受け皿部２４が備えられた二重床パネル８の隣りには二重床パネル８が配置されているが、本発明は受け皿部２４が備えられた二重床パネル８の隣りに吊り部無二重床パネル７を配置してもよい。また、上記した実施の形態では、受け皿部２４は二重床パネル８に備えられているが、吊り部無二重床パネル７に受け皿部２４を取り付けてもよい。また、上記した実施の形態では、ボックス部１７が備えられた二重床パネル８の隣りには吊り部無二重床パネル７が配置されているが、ボックス部１７が備えられた二重床パネル８の隣りに二重床パネル８を配置してよい。さらに、上記した実施の形態では、ボックス部１７は二重床パネル８に備えられているが、吊り部無二重床パネル７にボックス部１７を取り付けてもよい。
【００５３】
さらに、上記した実施の形態ではボックス部１７および受け皿部２４はそれぞれスチール板から形成されているが、その材質は適宜変更可能であり、例えば樹脂系材料やアルミ製材料、ステンレス製材料などでもよい。また、上記した実施の形態ではソケット２０には差し込み式の継手部を使用しているが、本発明は捻じ込み式の継手部を使用してもよく、溶接接合する継手部を使用してよい。また、上記した実施の形態ではボックス部１７の傾斜面１７ａの傾斜角度は４５°であるが、第１の接続配管２１の延在方向に応じて傾斜面１７ａの傾斜角度は３０°から６０°の範囲で適宜変更可能である。
【００５４】
【発明の効果】
以上のように説明した本発明に係る二重床パネル、二重床構造および二重床の施工方法によれば、設備配管は吊り部によって吊り下げられて支持されているため、床下に設備配管を配管する作業に伴う騒音および振動を少なくすることができる。また、設備配管は吊り部によって吊り下げられ配管されるため、設備配管を配管する際に墨出しを必要とせず、現場の状況に応じて容易に配管することができる。また、吊り部は二重床パネルの端部に設けられており、二重床パネルの側方から吊り部を取り扱うことができるため、設備配管のメンテナンスを行う際に容易に取り外しを行うことができる。また、二重床パネルの隣りに吊り部無二重床パネルが配置されるため、吊り部無二重床パネルを外すことで二重床パネル下のメンテナンスを行うことができる。
【図面の簡単な説明】
【図１】本発明に係る二重床パネル、二重床構造および二重床の施工方法を説明するための見上図である。
【図２】本発明に係る吊り部無二重床パネルを説明するための断面図である。
【図３】本発明に係る二重床パネルを説明するための断面図である。
【図４】本発明に係る吊り部を説明するための断面図である。
【図５】本発明に係るボックス部を説明するための断面図である。
【図６】本発明にかかるボックス部の実施の形態を説明するための平面図である。
【図７】本発明に係る受け皿部を説明するための図１に示すＡ―Ａ断面の矢視図である。
【図８】本発明に係る受け皿部を説明するための図１に示すＢ―Ｂ断面の矢視図である。
【図９】本発明のその他の実施の形態を説明するための斜視図である。
【図１０】本発明のその他の実施の形態を説明するための断面図である。
【図１１】本発明のその他の実施の形態を説明するための断面図である。
【図１２】本発明のその他の実施の形態を説明するための斜視図である。
【図１３】本発明のその他の実施の形態を説明するための断面図である。
【図１４】本発明のその他の実施の形態を説明するための斜視図である。
【符号の説明】
１  キッチン台（設備機器）
２  キッチン床（二重床）
３、１０４、２０３、３０３、４０２  設備配管
５、１００、２００、３００、４０３  パネル部
６  脚部
７  吊り部無二重床パネル
８  二重床パネル
１５、１０１、２０１  吊り部
１７  ボックス部
１７ａ  傾斜面
２０  ソケット（継手部）
２１  第１の接続配管
２４、４００  受け皿部
２７  ヘッダー
２８  第２の接続配管
２９  既存配管
【図１】
2004278036.tif 000003
【図２】
2004278036.tif 000004
【図３】
2004278036.tif 000005
【図４】
2004278036.tif 000006
【図５】
2004278036.tif 000007
【図６】
2004278036.tif 000008
【図７】
2004278036.tif 000009
【図８】
2004278036.tif 000010
【図９】
2004278036.tif 000011
【図１０】
2004278036.tif 000012
【図１１】
2004278036.tif 000013
【図１２】
2004278036.tif 000014
【図１３】
2004278036.tif 000015
【図１４】
2004278036.tif 000016